(57)【要約】本開示の特定の態様は、マルチプルのバックオフカウンタを使用してチャネルアクセスを管理するための方法および装置を提供する。【選択図】  図５
2019514304.tif 000002
【特許請求の範囲】
【請求項１】
ワイヤレス通信のための装置であって、
１つまたは複数のバックオフカウンタの数を維持することと、各バックオフカウンタは、１つまたは複数のキューのセットからの１つまたは複数のパケットのフロー制御に関して使用され、各キューは、アクセスクラス（ＡＣ）に関連付けられている、前記バックオフカウンタの数に基づいて、前記ＡＣのうちの１つまたは複数の、ワイヤレス媒体にアクセスする確率を調整することと、および前記調整の後に、前記キューのセットからの前記１つまたは複数のパケットのフロー制御を実行することとを行うように構成された処理システムと、および
前記ワイヤレス媒体上での送信に関して前記１つまたは複数のパケットを出力するための第１のインターフェースと
を備える装置。
【請求項２】
前記処理システムは、異なるＡＣ間で同じ相対的確率を達成するように、前記ＡＣのうちの１つまたは複数の前記確率を調整するように構成される、請求項１に記載の装置。
【請求項３】
前記１つまたは複数のキューは、少なくとも第１および第２のＡＣに関する少なくとも第１および第２のキューと、および前記第２のＡＣに関する少なくとも第３のキューとを備え、および
前記１つまたは複数のバックオフカウンタは、前記第１および第２のキューに関連付けられた第１のバックオフカウンタと、および前記第３のキューに関連付けられた第２のバックオフカウンタとを備える、
請求項１に記載の装置。
【請求項４】
単一のバックオフカウンタを使用するとき前記第１のＡＣが前記ワイヤレス媒体にアクセスする確率は、第１の確率であり、
前記単一のバックオフカウンタを使用するとき前記第２のＡＣが前記ワイヤレス媒体にアクセスする確率は、前記第１の確率より低い第２の確率であり、および
前記処理システムは、少なくとも２つのバックオフカウンタを使用するとき、前記第１のＡＣの前記確率を前記第２の確率の関数として調整するように構成される、
請求項３に記載の装置。
【請求項５】
前記バックオフカウンタの各々は、異なる送信方向に関連付けられている、請求項１に記載の装置。
【請求項６】
ワイヤレス通信のための方法であって、
１つまたは複数のバックオフカウンタの数を維持することと、各バックオフカウンタは、１つまたは複数のキューのセットからの１つまたは複数のパケットのフロー制御に関して使用され、各キューは、アクセスクラス（ＡＣ）に関連付けられている、
前記バックオフカウンタの数に基づいて、前記ＡＣのうちの１つまたは複数の、ワイヤレス媒体にアクセスする確率を調整することと、
前記調整の後に、前記キューのセットからの前記１つまたは複数のパケットのフロー制御を実行することと、および
前記ワイヤレス媒体上での送信に関して前記１つまたは複数のパケットを出力することと
を備える方法。
【請求項７】
前記調整することは、
異なるＡＣ間で同じ相対的確率を達成するように、前記ＡＣのうちの１つまたは複数の前記確率を調整すること
を備える、請求項６に記載の方法。
【請求項８】
前記１つまたは複数のキューは、少なくとも第１および第２のＡＣに関する少なくとも第１および第２のキューと、および前記第２のＡＣに関する少なくとも第３のキューとを備え、および
前記１つまたは複数のバックオフカウンタは、前記第１および第２のキューに関連付けられた第１のバックオフカウンタと、および前記第３のキューに関連付けられた第２のバックオフカウンタとを備える、
請求項６に記載の方法。
【請求項９】
単一のバックオフカウンタを使用するとき前記第１のＡＣが前記ワイヤレス媒体にアクセスする確率は、第１の確率であり、
前記単一のバックオフカウンタを使用するとき前記第２のＡＣが前記ワイヤレス媒体にアクセスする確率は、前記第１の確率より低い第２の確率であり、および
前記調整することは、少なくとも２つのバックオフカウンタを使用するとき、前記第１のＡＣの前記確率を前記第２の確率の関数として調整することを備える、
請求項８に記載の方法。
【請求項１０】
前記バックオフカウンタの各々は、異なる送信方向に関連付けられている、請求項６に記載の方法。
【請求項１１】
ワイヤレス通信のための装置であって、
１つまたは複数のバックオフカウンタの数を維持するための手段と、各バックオフカウンタは、１つまたは複数のキューのセットからの１つまたは複数のパケットのフロー制御に関して使用され、各キューは、アクセスクラス（ＡＣ）に関連付けられている、
前記バックオフカウンタの数に基づいて、前記ＡＣのうちの１つまたは複数の、ワイヤレス媒体にアクセスする確率を調整するための手段と、
前記調整の後に、前記キューのセットからの前記１つまたは複数のパケットのフロー制御を実行するための手段と、および
前記ワイヤレス媒体上での送信に関して前記１つまたは複数のパケットを出力するための手段と
を備える装置。
【請求項１２】
前記調整するための手段は、異なるＡＣ間で同じ相対的確率を達成するように、前記ＡＣのうちの１つまたは複数の前記確率を調整するための手段を備える、
請求項１１に記載の装置。
【請求項１３】
前記１つまたは複数のキューは、少なくとも第１および第２のＡＣに関する少なくとも第１および第２のキューと、および前記第２のＡＣに関する少なくとも第３のキューとを備え、および
前記１つまたは複数のバックオフカウンタは、前記第１および第２のキューに関連付けられた第１のバックオフカウンタと、および前記第３のキューに関連付けられた第２のバックオフカウンタとを備える、
請求項１１に記載の装置。
【請求項１４】
単一のバックオフカウンタを使用するとき前記第１のＡＣが前記ワイヤレス媒体にアクセスする確率は、第１の確率であり、
前記単一のバックオフカウンタを使用するとき前記第２のＡＣが前記ワイヤレス媒体にアクセスする確率は、前記第１の確率より低い第２の確率であり、および
前記調整するための手段は、少なくとも２つのバックオフカウンタを使用するとき、前記第１のＡＣの前記確率を前記第２の確率の関数として調整するための手段を備える、
請求項１３に記載の装置。
【請求項１５】
前記バックオフカウンタの各々は、異なる送信方向に関連付けられている、請求項１１に記載の装置。
【請求項１６】
命令を記憶したコンピュータ読取可能な媒体であって、前記命令は、
１つまたは複数のバックオフカウンタの数を維持することと、各バックオフカウンタは、１つまたは複数のキューのセットからの１つまたは複数のパケットのフロー制御に関して使用され、各キューは、アクセスクラス（ＡＣ）に関連付けられている、
前記バックオフカウンタの数に基づいて、前記ＡＣのうちの１つまたは複数の、ワイヤレス媒体にアクセスする確率を調整することと、
前記調整の後に、前記キューのセットからの前記１つまたは複数のパケットのフロー制御を実行することと、および
前記ワイヤレス媒体上での送信に関して前記１つまたは複数のパケットを出力することと
を行うためのものである、コンピュータ読取可能な媒体。
【請求項１７】
ワイヤレス局であって、
１つまたは複数のバックオフカウンタの数を維持することと、各バックオフカウンタは、１つまたは複数のキューのセットからの１つまたは複数のパケットのフロー制御に関して使用され、各キューは、アクセスクラス（ＡＣ）に関連付けられている、前記バックオフカウンタの数に基づいて、前記ＡＣのうちの１つまたは複数の、ワイヤレス媒体にアクセスする確率を調整することと、および前記調整の後に、前記キューのセットからの前記１つまたは複数のパケットのフロー制御を実行することとを行うように構成された処理システムと、および
前記ワイヤレス媒体上で前記１つまたは複数のパケットを送信するように構成された送信機と
を備えるワイヤレス局。
【発明の詳細な説明】
【米国特許法第１１９条に基づく優先権の主張】
【０００１】
[0001]本願は、２０１６年４月１８日に出願された米国仮特許出願第６２／３２４，３３３号の利益を主張する、２０１７年４月１７日に出願された米国特許出願第１５／４８９，４８７号への優先権を主張し、これらは、これの譲受人に譲渡され、およびこれによって参照により明確にここに組み込まれる。
【技術分野】
【０００２】
[0002]本開示の特定の態様は、ワイヤレス通信に一般的に関し、およびより具体的には、（例えば、マルチプル(multiple)の方向に対応する）マルチプルのバックオフカウンタが使用されるアプリケーションにおいてパケットフロー制御を管理することに関する。
【背景技術】
【０００３】
[0003]ワイヤレス通信システムに関して求められる増加する帯域幅要件の問題に対処するために、高いデータスループットを達成しつつ、チャネルリソースを共有することでマルチプルのユーザ端末が単一のアクセスポイントと通信することを可能にする異なる複数のスキームが開発されている。多入力多出力（ＭＩＭＯ）技術は、次世代通信システムに関する一般の技法として近年出現してきた、１つのこのようなアプローチを表す。ＭＩＭＯ技術は、米国電子電気学会（ＩＥＥＥ）８０２．１１規格のようないくつかの新興のワイヤレス通信規格において採用されている。ＩＥＥＥ８０２．１１規格は、短距離通信（例えば、数十メートルから数百メートル）用にＩＥＥＥ８０２．１１委員会によって開発されたワイヤレスローカルエリアネットワーク（ＷＬＡＮ）エアインターフェース規格のセットを指す。
【０００４】
[0004]ＭＩＭＯシステムは、データ送信に関して、マルチプル（ＮＴ）本の送信アンテナおよびマルチプル（ＮＲ）本の受信アンテナを用いる。ＮＴ本の送信アンテナとＮＲ本の受信アンテナとによって形成されるＭＩＭＯチャネルは、ＮＳ個の独立チャネルに分解され得、それは、空間チャネルとも言及され、ここで、ＮＳ≦ｍｉｎ｛ＮＴ，ＮＲ｝である。ＮＳ個の独立チャネルの各々が1つの次元に対応する。マルチプルの送信および受信アンテナによって作り出される追加の次元が利用される場合、ＭＩＭＯシステムは、改善された性能（例えば、より高いスループットおよび／またはより大きな信頼性）を提供することができる。
【０００５】
[0005]単一のアクセスポイント（ＡＰ）およびマルチプルのユーザ局（ＳＴＡ）を有するワイヤレスネットワークでは、アップリンク方向およびダウンリンク方向の両方で、異なる局に向けてマルチプルのチャネル上で同時並行送信が発生し得る。このようなシステムには、多くの課題が存在する。
【発明の概要】
【０００６】
[0006]本開示の特定の態様は、ワイヤレス通信のための装置を提供する。装置は、バックオフカウンタの数を維持することと、各バックオフカウンタは、１つまたは複数のキューのセットからの１つまたは複数のパケットのフロー制御に関して使用され、各キューは、アクセスクラス（ＡＣ）に関連付けられている、およびバックオフカウンタの数に基づいて、ＡＣのうちの１つまたは複数の、ワイヤレス媒体にアクセスする確率を調整することとを行うように構成された処理システムと、およびフロー制御に基づいてワイヤレス媒体上での送信に関して１つまたは複数のパケットを出力するための第１のインターフェースとを一般的に含む。
【０００７】
[0007]本開示の態様はまた、上で記述した装置および動作に対応する様々な方法、手段、およびコンピュータプログラム製品を提供する。
【０００８】
[0008]上に記載された本開示の特徴が詳細に理解されることができるように、上で簡潔に要約されたより具体的な説明が、態様への参照によってなされ得、そのいくつかが添付の図面で例示されている。しかしながら、添付の図面が本開示の特定の典型的な態様を例示するにすぎず、およびこの説明は他の同等に効果的な態様を認め得るため、その範囲を限定するように考えられるべきではないことに留意されたい。
【図面の簡単な説明】
【０００９】
【図１】[0009]図１は、本開示の特定の態様にしたがった、例となるワイヤレス通信ネットワークの図である。
【図２】[0010]図２は、本開示の特定の態様にしたがった、例となるアクセスポイントおよび例となるユーザ端末のブロック図である。
【図３】[0011]図３は、単一バックオフカウンタを使用したフロー制御の例を例示する。
【図４】[0012]図４は、本開示の特定の態様が適用され得る、マルチプルのバックオフカウンタを使用したフロー制御の例を例示する。
【図５】[0013]図５は、本開示の特定の態様にしたがった、マルチプルのバックオフカウンタでフロー制御を管理するための例となる動作のフロー図である。
【図５Ａ】[0014]図５Ａは、図５に示された動作を実行する能力がある例となる手段を例示する。
【詳細な説明】
【００１０】
[0015]本開示の態様は、マルチプルのバックオフカウンタを利用するシステムにおいてフロー制御を管理するための技法を提供する。ここで使用される場合、用語フロー制御は、あるセンダ（sender）（例えば、より速いセンダまたはより多くのデータを有するセンダ）が、別のセンダ（例えば、より少ないデータを有するより遅いセンダ）による媒体へのアクセスを防ぐことができないようにするように２つのワイヤレスノード間でのデータ送信のレートを管理することに一般的に言及する。フロー制御はまた、（例えば、特定のアプリケーションからの特定のタイプの送信を優先する、および／または、特定のサービス品質パラメータが満たされるのを確実にする助けとなるために）同じワイヤレスノード内からの異なるデータ送信のレートを管理するために使用されることができる。
【００１１】
[0016]いくつかのケースでは、バックオフカウンタは、フロー制御メカニズムとして使用され得る。例えば、媒体がビジーである場合、特定のタイプの（例えば、特定のタイプ／優先度の、または、特定のアプリケーションからの）データに関する送信は、現在の送信ウィンドウの終端まで延期されるかおよび追加バックオフ遅延だけ遅延され得る。バックオフ遅延は、バックオフカウンタを開始するための値を選ぶことでインプリメントされる。
【００１２】
[0017]いくつかのケースでは、マルチプルのバックオフカウンタが、フロー制御に関して使用され得る。例えば、マルチプルのバックオフカウンタは、（例えば、異なる方向および／または異なるアンテナに関連付けられた異なるバックオフカウンタを有する）指向性のいくつかの概念を提供するかまたは同じワイヤレス媒体上で送信するときに空間的分離に他の方法で対処するチャネルアクセスメカニズムを有するシステムにおいて使用され得る。
【００１３】
[0018]本開示の態様は、指向性送信に関するチャネルアクセスに関して使用されるマルチプルのバックオフカウンタを管理するための技法を提供し、例えば、ここで、異なるバックオフカウンタは、物理チャネルの空間的分離に対応し得る。指向性送信に関する異なるバックオフカウンタの使用は、例えば、媒体が一方向では送信を妨げるのにビジーであり得るが、別の方向ではこの媒体はクリアであり得るため、道理にかなっているであろう。
【００１４】
[0019]本開示の様々な態様が、添付の図面を参照して以下でより十分に記述されている。しかしながら、本開示は、多くの異なる形式で具現化され得、および本開示全体にわたって提示されるいずれかの特定の構造または機能に限定されるものとして解釈されるべきではない。むしろ、これらの態様は、本開示が徹底的かつ完全となり、および本開示の範囲を当業者に十分に伝達することとなるように提供される。ここでの教示に基づき、当業者は、本開示の範囲が、ここに開示される開示のいずれかの態様を、本開示のいずれかの他の態様から独立してインプリメントされようと、それと組み合わされてインプリメントされようと、カバーするように意図されていることを認識するべきである。例えば、ここで示されるいずれかの数の態様を使用して、装置がインプリメントされ得るか、または方法が実践され得る。加えて、本開示の範囲は、ここで示される開示の様々な態様に加えて、または、それ以外の、他の構造、機能性、または構造と機能性を使用して実践されるこのような装置または方法をカバーするように意図されている。ここで開示される本開示のいずれかの態様が、請求項の１つまたは複数の要素によって具現化され得ることは理解されるべきである。
【００１５】
[0020]用語「例示的」は、ここでは、「例、事例、または実例として機能する」という意味で使用される。「例示的」としてここで記述されるいずれかの態様は、必ずしも、他の態様より好ましいまたは有利であると解釈されるべきではない。
【００１６】
[0021]特定の態様がここで記述されるが、これらの態様の多くの変形および置換は本開示の範囲内である。好ましい態様のいくつかの利益および利点が述べられるが、本開示の範囲は、特定の利益、用途、または目的に限定されることを意図されない。むしろ、本開示の態様は、異なるワイヤレス技術、システム構成、ネットワーク、および送信プロトコルに広く適用可能であることが意図されており、それらのうちのいくつかは、図においておよび好ましい態様の以下の説明において例として例示される。詳細な説明および図面は、限定するものというよりはむしろ、本開示の単なる例示であり、本開示の範囲は、添付の特許請求の範囲およびそれらの同等物によって定義される。
【００１７】
例となるワイヤレス通信システム
[0022]ここで記述される技法は、直交多重化スキームに基づく通信システムを含む、様々なブロードバンドワイヤレス通信システムに関して使用され得る。このような通信システムの例には、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システム、等が含まれる。ＳＤＭＡシステムは、マルチプルのユーザ端末に属するデータを同時に送信するために、十分に異なる方向を利用し得る。ＴＤＭＡシステムは、異なるタイムスロットに送信信号を分割することによって、マルチプルのユーザ端末が同じ周波数チャネルを共有することを可能にし得、各タイムスロットは、異なるユーザ端末に割り当てられる。ＯＦＤＭＡシステムは、直交周波数分割多重化（ＯＦＤＭ）を利用し、それは、システム帯域幅全体をマルチプルの直交サブキャリアに区分化する変調技法である。これらのサブキャリアは、トーン、ビン、等とも呼ばれ得る。ＯＦＤＭの場合、各サブキャリアは、独立してデータと変調され得る。ＳＣ−ＦＤＭＡシステムは、インターリーブドＦＤＭＡ（ＩＦＤＭＡ）を利用して、システム帯域幅にわたって分散したサブキャリアで送信するか、ローカライズドＦＤＭＡ（ＬＦＤＭＡ）を利用して、隣接サブキャリアの１つのブロックで送信するか、またはエンハンスドＦＤＭＡ（ＥＦＤＭＡ）を利用して、隣接サブキャリアのマルチプルのブロックで送信し得る。一般的に、変調シンボルはＯＦＤＭでは周波数ドメインで、およびＳＣ−ＦＤＭＡでは時間ドメインで送られる。
【００１８】
[0023]ここでの教示は、様々なワイヤードまたはワイヤレス装置（例えば、ノード）に組み込まれ得る（例えば、それらの中でインプリメントされるか、またはそれらによって実行される）。いくつかの態様では、ここでの教示にしたがってインプリメントされるワイヤレスノードは、アクセスポイントまたはアクセス端末を備え得る。
【００１９】
[0024]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、またはいくつかの他の専門用語を備え得るか、これらとしてインプリメントされ得るか、またはこれらとして知られ得る。
【００２０】
[0025]アクセス端末（「ＡＴ」）は、加入者局、加入者ユニット、モバイル局、リモート局、リモート端末、ユーザ端末、ユーザエージェント、ユーザデバイス、ユーザ機器、ユーザ局、またはいくつかの他の専門用語を備え得るか、これらとしてインプリメントされ得るか、またはこれらとして知られ得る。いくつかのインプリメンテーションでは、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、局（「ＳＴＡ」）、またはワイヤレスモデムに接続されたいくつかの他の適切な処理デバイスを備え得る。したがって、ここで教示される１つまたは複数の態様は、電話（例えば、セルラ電話またはスマートフォン）、コンピュータ（例えば、ラップトップ）、ポータブル通信デバイス、ポータブルコンピューティングデバイス（例えば、携帯情報端末）、エンターテイメントデバイス（例えば、ミュージックまたはビデオデバイス、または衛星ラジオ）、全地球測位システムデバイス、または、ワイヤレスまたはワイヤード媒体を介して通信するように構成されているいずれかの他の適切なデバイスに組み込まれ得る。いくつかの態様では、ノードは、ワイヤレスノードである。このようなワイヤレスノードは、例えば、ワイヤードまたはワイヤレス通信リンクを介して、ネットワーク（例えば、セルラネットワークまたはインターネットのような広域ネットワーク）に関する、またはそれへの接続性を提供し得る。
【００２１】
[0026]図１は、アクセスポイントおよびユーザ端末を有する多元接続多入力多出力（ＭＩＭＯ）システム１００を例示する。簡潔さのために、図１には１つのアクセスポイント１１０のみが示される。アクセスポイントは一般的に、ユーザ端末と通信する固定局であり、および基地局またはいくつかの他の専門用語でも言及され得る。ユーザ端末は、固定式または移動可能であり得、およびモバイル局、ワイヤレスデバイス、またはいくつかの他の専門用語でも言及され得る。アクセスポイント１１０は、ダウンリンクおよびアップリンク上で、いずれかの所与の瞬間に１つまたは複数のユーザ端末１２０と通信し得る。ダウンリンク（すなわち、順方向ドリンク）は、アクセスポイントからユーザ端末への通信リンクであり、およびアップリンク（すなわち、逆方向リンク）は、ユーザ端末からアクセスポイントへの通信リンクである。ユーザ端末はまた、別のユーザ端末とピアツーピアで通信し得る。システムコントローラ１３０は、アクセスポイントに結合し、およびアクセスポイントに調整（coordination）および制御を提供する。
【００２２】
[0027]以下の開示の複数の部分は、空間分割多元接続（ＳＤＭＡ）を介して通信する能力があるユーザ端末１２０を記述するが、特定の態様に関して、ユーザ端末１２０は、ＳＤＭＡをサポートしないいくつかのユーザ端末も含み得る。ゆえに、そのような態様に関して、アクセスポイント（ＡＰ）１１０は、ＳＤＭＡユーザ端末および非ＳＤＭＡユーザ端末の両方と通信するように構成され得る。このアプローチは、都合良く、より新しいＳＤＭＡユーザ端末が適宜導入されることを可能にしつつ、より古いバージョンのユーザ端末（「レガシ」局）が、事業展開されたれたままでいることを可能にし、それらの有効寿命を伸ばし得る。
【００２３】
[0028]システム１００は、ダウンリンクおよびアップリンク上でのデータ送信に関してマルチプルの送信アンテナおよびマルチプルの受信アンテナを用いる。アクセスポイント１１０は、Ｎａｐ本のアンテナが装備されており、およびダウンリンク送信に関する多入力（ＭＩ）およびアップリンク送信に関する多出力（ＭＯ）を表す。Ｋ個の選択されたユーザ端末１２０のセットは、ダウンリンク送信に関する多出力およびアップリンク送信に関する多入力を集合的に表す。ピュアＳＤＭＡの場合、Ｋ個のユーザ端末に関するデータシンボルストリームが、いくつかの手段によって符号、周波数、または時間において多重化されていない場合、Ｎａｐ≧Ｋ≧１であることが望まれる。データシンボルストリームが、ＴＤＭＡ技法、ＣＤＭＡを用いた異なるコードチャネル、ＯＦＤＭを用いた互いに素なサブバンドのセット、等を使用して多重化されることができる場合、Ｋは、Ｎａｐより大きいであろう。各選択されたユーザ端末は、アクセスポイントにユーザ固有のデータを送信する、および／または、アクセスポイントからユーザ固有のデータを受信する。一般的に、各選択されたユーザ端末は、１つまたはマルチプルのアンテナ（すなわち、Ｎｕｔ≧１）が装備されているであろう。Ｋ個の選択されたユーザ端末は、同じ数または異なる数のアンテナを有することができる。
【００２４】
[0029]システム１００は、時分割複信（ＴＤＤ）システムまたは周波数分割複信（ＦＤＤ）システムであり得る。ＴＤＤシステムの場合、ダウンリンクおよびアップリンクは、同じ周波数帯域を共有する。ＦＤＤシステムの場合、ダウンリンクおよびアップリンクは、異なる周波数帯域を使用する。ＭＩＭＯシステム１００はまた、送信に関して、単一のキャリアまたはマルチプルのキャリアを利用し得る。各ユーザ端末は、（例えば、コストを低く抑えるために）単一のアンテナがまたは（例えば、追加のコストがサポートされることができる場合には）マルチプルのアンテナが装備されているであろう。異なるタイムスロットに送信／受信を分割すること、各タイムスロットは異なるユーザ端末１２０に割り当てられている、によって、これらユーザ端末１２０が同じ周波数チャネルを共有する場合、システム１００はまた、ＴＤＭＡシステムであり得る。
【００２５】
[0030]図２は、ＭＩＭＯシステム１００における、アクセスポイント１１０ならびに２つのユーザ端末１２０ｍおよび１２０ｘのブロック図を例示する。アクセスポイント１１０は、Ｎｔ本のアンテナ２２４ａ〜２２４ｔが装備されている。ユーザ端末１２０ｍは、Ｎｕｔ，ｍ本のアンテナ２５２ｍａ〜２５２ｍｕが装備されており、およびユーザ端末１２０ｘは、Ｎｕｔ，ｘ本のアンテナ２５２ｘａ〜２５２ｘｕが装備されている。アクセスポイント１１０は、ダウンリンクでは送信エンティティであり、およびアップリンクでは受信エンティティである。各ユーザ端末１２０は、アップリンクに関して送信エンティティであり、およびダウンリンクに関して受信エンティティである。ここで使用される場合、「送信エンティティ」は、ワイヤレスチャネルを介してデータを送信する能力がある独立して動作する装置またはデバイスであり、および「受信エンティティ」は、ワイヤレスチャネルを介してデータを受信する能力がある独立して動作する装置またはデバイスである。以下の説明では、下付き文字「ｄｎ」はダウンリンクを示し、下付き文字「ｕｐ」はアップリンクを示し、Ｎｕｐ個のユーザ端末がアップリンク上の同時送信に関して選択され、Ｎｄｎ個のユーザ端末がダウンリンク上の同時送信に関して選択され、Ｎｕｐは、Ｎｄｎに等しいことも等しくないこともあり得、およびＮｕｐおよびＮｄｎは、静的な値であり得るか、またはスケジューリング間隔ごとに変化することができる。ビームステアリングまたはいくつかの他の空間処理技法が、アクセスポイントおよびユーザ端末において使用され得る。
【００２６】
[0031]アップリンク上では、アップリンク送信に関して選択された各ユーザ端末１２０において、ＴＸデータプロセッサ２８８は、トラフィックデータをデータソース２８６から、および制御データをコントローラ２８０から受信する。ＴＸデータプロセッサ２８８は、ユーザ端末に関するトラフィックデータを、このユーザ端末に関して選択されたレートに関連付けられたコード化および変調スキームに基づいて処理（例えば、符号化、インターリーブ、および変調）し、およびデータシンボルストリームを提供する。ＴＸ空間プロセッサ２９０は、このデータシンボルストリームに関して空間処理を実行し、およびＮｕｔ，ｍ本のアンテナに関してＮｕｔ，ｍ個の送信シンボルストリームを提供する。各送信機ユニット（ＴＭＴＲ）２５４は、それぞれの送信シンボルストリームを受け取り、および処理（例えば、アナログ変換、増幅、フィルタリング、および周波数アップコンバート）して、アップリンク信号を生成する。Ｎｕｔ，ｍ個の送信機ユニット２５４は、Ｎｕｔ，ｍ本のアンテナ２５２からアクセスポイントへの送信に関してＮｕｔ，ｍ個のアップリンク信号を提供する。
【００２７】
[0032]Ｎｕｐ個のユーザ端末が、アップリンク上の同時送信に関してスケジュールされ得る。これらのユーザ端末の各々は、そのデータシンボルストリームに対して空間処理を実行し、およびその送信シンボルストリームのセットをアップリンク上でアクセスポイントに送信する。
【００２８】
[0033]アクセスポイント１１０において、Ｎａｐ本のアンテナ２２４ａ〜２２４ａｐは、アップリンク上で送信するすべてのＮｕｐ個のユーザ端末からのアップリンク信号を受信する。各アンテナ２２４は、受信された信号をそれぞれの受信機ユニット（ＲＣＶＲ）２２２に提供する。各受信機ユニット２２２は、送信機ユニット２５４によって実行されたものと相補的な処理を実行し、および受信シンボルストリームを提供する。ＲＸ空間プロセッサ２４０は、Ｎaｐ個の受信機ユニット２２２からのＮaｐ個の受信シンボルストリームに対して受信機空間処理を実行し、およびＮｕｐ個の復元されたアップリンクデータシンボルストリームを提供する。受信機空間処理は、チャネル相関マトリクス反転（ＣＣＭＩ）、最小平均二乗誤差（ＭＭＳＥ）、ソフト干渉除去（ＳＩＣ）、またはいくつかの他の技法にしたがって実行される。各復元されたアップリンクデータシンボルストリームは、それぞれのユーザ端末によって送信されたデータシンボルストリームの推定である。ＲＸデータプロセッサ２４２は、各復元されたアップリンクデータシンボルストリームを、そのストリームに関して使用されたレートにしたがって処理（例えば、復調、デインターリーブ、および復号）して、復号されたデータを取得する。各ユーザ端末に関する復号されたデータは、記憶に関してデータシンク２４４におよび／またはさらなる処理に関してコントローラ２３０に提供され得る。
【００２９】
[0034]ダウンリンクでは、アクセスポイント１１０において、ＴＸデータプロセッサ２１０は、ダウンリンク送信に関してスケジュールされたＮｄｎ個のユーザ端末に関するトラフィックデータをデータソース２０８から受信し、制御データをコントローラ２３０から受信し、および場合によっては他のデータをスケジューラ２３４から受信する。様々なタイプのデータが、異なるトランスポートチャネル上で送られ得る。ＴＸデータプロセッサ２１０は、各ユーザ端末に関するトラフィックデータを、そのユーザ端末に関して選択されたレートに基づいて、処理（例えば、符号化、インターリーブ、および変調）する。ＴＸデータプロセッサ２１０は、Ｎｄｎ個のユーザ端末に関してＮｄｎ個のダウンリンクデータシンボルストリームを提供する。ＴＸ空間プロセッサ２２０は、Ｎｄｎ個のダウンリンクデータシンボルストリームに対して（本開示において記述されるように、プリコード化またはビームフォーミングのような）空間処理を実行し、およびＮａｐ本のアンテナに関するＮａｐ個の送信シンボルストリームを提供する。各送信機ユニット２２２は、ダウンリンク信号を生成するために、それぞれの送信シンボルストリームを受信および処理する。Ｎａｐ個の送信機ユニット２２２は、Ｎａｐ本のアンテナ２２４からユーザ端末への送信に関して、Ｎａｐ個のダウンリンク信号を提供する。
【００３０】
[0035]各ユーザ端末１２０において、Ｎｕｔ，ｍ本のアンテナ２５２が、アクセスポイント１１０からＮａｐ個のダウンリンク信号を受信する。各受信機ユニット２５４は、関連付けられたアンテナ２５２からの受信された信号を処理し、および受信されたシンボルストリームを提供する。ＲＸ空間プロセッサ２６０は、Ｎｕｔ，ｍ個の受信機ユニット２５４からのＮｕｔ，ｍ個の受信されたシンボルストリームに対して受信機空間処理を実行し、およびユーザ端末に関する復元されたダウンリンクデータシンボルストリームを提供する。受信機空間処理は、ＣＣＭＩ、ＭＭＳＥ、またはいくつかの他の技法にしたがって実行される。ＲＸデータプロセッサ２７０は、復元されたダウンリンクデータシンボルストリームを処理（例えば、復調、デインターリーブ、および復号）して、ユーザ端末に関する復号されたデータを取得する。
【００３１】
[0036]各ユーザ端末１２０において、チャネル推定器２７８は、ダウンリンクチャネル応答を推定し、およびダウンリンクチャネル推定値を提供し、それは、チャネル利得推定値、ＳＮＲ推定値、ノイズ分散、等を含み得る。同様に、チャネル推定器２２８は、アップリンクチャネル応答を推定し、およびアップリンクチャネル推定値を提供する。各ユーザ端末に関するコントローラ２８０は典型的に、ユーザ端末に関する空間フィルタマトリクスを、そのユーザ端末に関するダウンリンクチャネル応答マトリクスＨｄｎ，ｍに基づいて導出する。コントローラ２３０は、アクセスポイントに関する空間フィルタマトリクスを、有効アップリンクチャネル応答マトリクスＨｕｐ，ｅｆｆに基づいて導出する。各ユーザ端末に関するコントローラ２８０は、アクセスポイントにフィードバック情報（例えば、ダウンリンクおよび／またはアップリンク固有ベクトル、固有値、ＳＮＲ推定値、等）を送り得る。コントローラ２３０および２８０はまた、それぞれ、アクセスポイント１１０およびユーザ端末１２０における様々な処理ユニットの動作を制御する。
【００３２】
[0037]例示されるように、図１および図２において、１つまたは複数のユーザ端末１２０は、ここで記述されるような（例えば、図３Ａ−４で示される例となるフォーマットのうちの１つにしたがった）プリアンブルフォーマットで、１つまたは複数の高効率ＷＬＡＮ（ＨＥＷ）パケット１５０を、例えば、ＵＬ ＭＵ−ＭＩＭＯ送信の一部としてアクセスポイント１１０に送り得る。各ＨＥＷパケット１５０は、１つまたは複数（例えば、最大４つ）の空間ストリームのセット上で送信され得る。特定の態様に関して、ＨＥＷパケット１５０のプリアンブル部分は、（例えば、図１０−１３、１５、および１６で例示される例となるインプリメンテーションのうちの１つにしたがった）トーンインターリーブされたＬＴＦ、サブバンドベースのＬＴＦ、またはハイブリッドＬＴＦを含み得る。
【００３３】
[0038]ＨＥＷパケット１５０は、ユーザ端末１２０においてパケット生成ユニット２８７によって生成され得る。パケット生成ユニット２８７は、ユーザ端末１２０の処理システムにおいて、例えば、ＴＸデータプロセッサ２８８、コントローラ２８０、および／またはデータソース２８６において、インプリメントされ得る。
【００３４】
[0039]ＵＬ送信の後、ＨＥＷパケット１５０は、アクセスポイント１１０においてパケット処理ユニット２４３によって処理（例えば、復号および解釈）され得る。パケット処理ユニット２４３は、アクセスポイント１１０のプロセスシステムにおいて、例えば、ＲＸ空間プロセッサ２４０、ＲＸデータプロセッサ２４２、またはコントローラ２３０において、インプリメントされ得る。パケット処理ユニット２４３は、パケットタイプ（例えば、ＩＥＥＥ８０２．１１規格に対するどの修正に、受信されたパケットが準拠しているか）に基づいて、受信されたパケットを異なって処理し得る。例えば、パケット処理ユニット２４３は、ＩＥＥＥ８０２．１１ ＨＥＷ規格に基づいてＨＥＷパケット１５０を処理し得るが、レガシパケット（例えば、ＩＥＥＥ８０２．１１ａ／ｂ／ｇに準拠するパケット）を、それに関連付けられた規格修正にしたがって、異なるやり方で解釈し得る。
【００３５】
マルチプルのバックオフカウンタの例となる管理
[0040]本開示の態様は、各バックオフカウンタが、異なるアクセスクラス（ＡＣ）キューからのデータ送信のフロー制御に関して使用され得るシステムにおいてマルチプルのバックオフカウンタを管理する助けとなる技法を提供する。以下でより詳細に記述されるように、ここで記述される技法は、（例えば、送信を妨げることも特定のタイプのデータを「枯渇させる」こともなく）所望のフロー制御結果に達するように、異なるＡＣキューの確率を効率的に変更するメカニズムを提供する。
【００３６】
[0041]現在開発段階にあるＩＥＥＥ８０２．１１ａｙ規格のような特定の規格は、既存の規格（例えば、８０２．１１ａｄ規格）にしたがってワイヤレス通信を６０ＧＨｚ帯域へと拡張する。そのような規格に含まれるべき特徴の例は、マルチプルのアンテナ（例えば、アンテナのアレイ）を使用して達成されるチャネルボンディング（ＣＢ）および指向性送信である。そのような送信は、拡張指向性マルチギガビット（ＥＤＭＧ）送信と言及され得る。
【００３７】
[0042]そのような特徴によって提示される１つの課題は、チャネルアクセスメカニズムをどのように拡張するかである。従来のチャネルアクセスメカニズムは典型的に、一度に単一の送信に適応すること（accommodating）に制限されており、および指向性の概念を有さないであろう。結果として、チャネルが特定の方向に「クリア」であっても、それが別の方向にビジーである場合は、このチャネルへのアクセスは許可されない可能性がある。ゆえに、指向性送信に起因して可能な帯域幅利得は十分には実現されないであろう。
【００３８】
[0043]いくつかのケースでは、マルチプルのバックオフカウンタは、異なるカウンタが物理チャネルの空間的分離に対応し得るＥＤＭＧにおけるチャネルアクセスに関して使用される。上述したように、バックオフカウンタは典型的に、クリアチャネルアセスメント（ＣＣＡ）がクリアなチャネルを示すとき、デクリメントされる。ランダムなバックオフカウンタを割り当てることは、媒体へのアクセスを求めて競う異なるエンティティ間での衝突の可能性を低くするのに役立つ。
【００３９】
[0044]バックオフカウンタは、バックオフ期間がコンテンションウィンドウ（ＣＷ）内に収まるように、ランダムに選択される。バックオフカウンタが満了すると、媒体は、延期された送信がこの時点で実行され得るかどうかを知るために再度チェックされ得る。確認応答の受信によって決定されるように、送信が成功すると、コンテンションウィンドウ（ＣＷ）は、最小値（ＣＷｍｉｎ）にリセットされる。
【００４０】
[0045]ＣＷサイズは、最初、ＣＷｍｉｎが割り当てられ、および送信が失敗すると（例えば、送信されたデータフレームが、ＡＣＫフレームを送る受信側デバイスによって確認応答されないと）増加する。不成功の送信試みの後、新しい（増加された）ＣＷ値を使用して別のバックオフが実行される。典型的に、ＣＷ値の増加は、最大値（ＣＷｍａｘ）で上限が定められる(capped with)。このアプローチは、チャネルにアクセスしようと試みる局がマルチプル存在するケースにおいて衝突確率を低減するように設計される。各成功した送信の後、ＣＷ値は、ＣＷｍｉｎにリセットされる。
【００４１】
[0046]サービス品質（ＱｏＳ）は、送信キューごとに異なるバックオフ生成プロシージャを効率的に確立する助けとなり得るいくつかのアクセスカテゴリ（ＡＣ）を利用することでインプリメントされ得、ここで、各ＡＣは、異なるキューを使用する。図３は、音声（ＶＯ）、ベストエフォート（ＢＥ）、およびバックグラウンド（ＢＫ）トラフィックに関する３つのこのようなキューの例となる使用を例示する。
【００４２】
[0047]ＡＣのこの使用は、異なるアクセスカテゴリ（ＡＣ）に対応する、トラフィックの異なるタイプごとに異なる確率をチャネルアクセスに提供する。一般的に、各ＡＣは、ＡＩＦＳ、ＣＷｍｉｎ、およびＣＷのような、チャネルアクセスを制御するためのパラメータの別個のセットを有することができる。異なるＡＣを利用するこのアプローチは、拡張分散協調機能（ＥＤＣＦ）と一般に言及される。
【００４３】
[0048]ＡＩＦＳ［ＡＣ］、ＣＷｍｉｎ［ＡＣ］、およびＣＷｍａｘ［ＡＣ］の値、それらは、ＥＤＣＦパラメータと言及され、ビーコンフレームを介してＡＰによってアナウンスされる。ＡＰは、ネットワーク状態に依存して動的にこれらのパラメータを適応させることができる。基本的に、ＡＩＦＳ［ＡＣ］およびＣＷｍｉｎ［ＡＣ］が小さいほど、対応する優先度に関するチャネルアクセス遅延は短くなり、およびゆえに、（衝突の確率は増加するが）所与のトラフィック状態に関する容量共有は多くなる。
【００４４】
[0049]図３に示されるように、各ＡＣは、それ自体の送信キューを有し得る。したがって、４つのＡＣに関して、４つの送信キューを有する場合、各キューは、単一の強化ＤＣＦ競合エンティティとして挙動する。換言すると、各ＡＣキューは、それ自体のＡＩＦＳを有し、およびそれ自体のバックオフカウンタＢＣを維持する。１より多くのＡＣが同時にバックオフを完了する場合、衝突するフレームの中でより高い優先度のフレームが選ばれ、および送信され、他のものは、増加されたＣＷ値でバックオフを実行する。
【００４５】
[0050]これらのＥＤＣＦパラメータは、ここで記述したように、各ＡＣが媒体にアクセスする確率を効率的に調整するために調整されることができる。例えば、特定のＡＣに関するＡＩＦＳおよび／またはＣＷｍｉｎは、ＡＣが媒体にアクセスする確率を増加させるために低減され得る。
【００４６】
[0051]キューごとに、各ＡＣに割り当てられた異なる優先度は、効率的に、ワイヤレス媒体へのアクセスを得る異なる確率を確立する助けとなる。例えば、バックオフタイマが満了したときに異なるＡＣのパケットが送信される準備が整っている場合、より高い優先度を有するＡＣがアクセスを許可され得る。図３を再度参照すると、例示された例では、ＶＯトラフィックがＢＫトラフィックより高い優先度を有するため、ＶＯキューからのＭＳＤＵ１が、ＢＫキューからのＭＳＤＵ１より前に送られるであろう。
【００４７】
[0052]ゆえに、この差分は、より高い優先度のパケットが、媒体を保持するためにより高い確率を得るが、依然として、（より低い優先度のパケットの）確率がゼロではないため、より低い優先度のパケットを枯渇させない方法で、ＡＣに関して異なる確率に帰着する。
【００４８】
[0053]しかしながら、（１つの送信機を共有している）カウンタごとに異なるＡＣキューを有するいくつかのカウンタをインプリメントするとき、結果として得られるＡＣの確率は、（単一のカウンタが使用されるときと比べて）変更される。この確率の変更は、多くの高い優先度のパケットがいくつかの方向にスタックしている場合、より低い優先度のパケットの枯渇を引き起こし得る。この相対的確率の変更は、図３および４を参照して記述され得る。
【００４９】
[0054]図３は、キューのセットに関して単一のバックオフカウンタを利用する「レガシ」アプローチを例示する。上で記述したように、例示される例では、別個のキューが、ＶＯ、ＢＥ、およびＢＫという３つの異なるＡＣの各々に提供される。典型的に、これらの優先度は、降順で、ＶＯ、ＢＥ、そしてＢＫである。
【００５０】
[0055]図３に示されるように、ＶＯトラフィック（Ｐｈ）に関して媒体にアクセスする確率は比較的高い可能性がある一方で、ＢＫトラフィック（Ｐｌ）に関して媒体にアクセスする確率は比較的低いが、依然として、ＢＫトラフィックの枯渇を回避するのに十分であり得る。このように、確率ＰｈとＰｌとの間の比は、ＡＣベースのフロー制御を設定する。
【００５１】
[0056]図４は、マルチプルのバックオフカウンタを利用する例となる「ＥＤＭＧ」アプローチを例示し、例えば、各バックオフカウンタは、１つまたは複数のＡＣキューの異なるセットに関して使用される。例えば、各バックオフカウンタは、異なる方向またはアンテナに対応し得、それは、（例えば、チャネルがある方向で利用不可能なときに、1つの方向でのチャネルの利用性を利用するために）チャネルアクセスメカニズムに指向性を提供するする助けとなり得る。図４に例示される例では、第２のバックオフカウンタは、ＶＯトラフィックに関する第２のキューのためのものである。
【００５２】
[0057]キューごとの確率が図３にあるのと同じであると想定すると、確率間の比は、ここでは、２ｘＰｈおよびＰｌに変更される。（より高い優先度のトラフィックが媒体にアクセスする可能性が２倍である）この相対的確率の変更により、変更されたＡＣフロー制御および極めて低い確率に起因してＢＫトラフィック（ＭＳＤＵ）パケットの枯渇を経験する可能性が生じてしまう（make it possible）。
【００５３】
[0058]しかしながら、本開示の態様は、上で議論した問題に対処する助けとなり得、かつ、枯渇を回避する助けとなり得るチャネルアクセスメカニズムを提供する。例えば、マルチプルのＢＯカウンタが使用されるときに（単一のカウンタが使用されるときと）同じフロー制御ＡＣ確率を達成しようとして異なるＡＣキューの確率を変更することで、枯渇が回避され得る。
【００５４】
[0059]図３および４に示される例の場合、この確率の変更は、各確率を（２−Ｐｌ）で除算することで達成され得る。換言すると、図４では、Ｐｈ（Ｐｈ’）に関する新しい確率は、Ｐｈ／（２−Ｐｌ）であり得る。この確率の調整は、ＶＯトラフィックによって媒体にアクセスするための既に高い優先度の（そうでなければ不公平である）増加をオフセットする助けとなり得る。
【００５５】
[0060]マルチプルのタイマを考慮し、および他のＡＣキューを枯渇させることなくいずれかの所与のＡＣキューから送信する所望の（相対的な）確率を達成するために、様々な他のタイプの調整もまた可能であり得る。さらに、上で記述した例は、２つのバックオフカウンタを想定するが、ここに記述された技法は、バックオフカウンタの数（例えば、第３またはそれ以上）にかかわらず、異なるＡＣ間で所望の（例えば、同じ相対的確率）を達成するように、ＡＣの確率を調整するために適用され得る。
【００５６】
[0061]図５は、本開示の態様にしたがって、（多方向）チャネルアクセスを管理するための例となる動作５００を例示する。動作５００は、上で記述した方法で、異なるＡＣによる媒体アクセスの確率を調整し、および枯渇を回避するために、例えば、アクセスポイント（ＡＰ）または非ＡＰワイヤレス局によって実行され得る。
【００５７】
[0062]動作５００は、５０２において、バックオフカウンタの数を維持することから始まる。上述したように、各バックオフカウンタは、１つまたは複数の送信キューのセットからのパケットのフロー制御に関して使用され得、各送信キューがアクセスクラス（ＡＣ）に関連付けられている。５０４において、バックオフカウンタの数に基づいて、ＡＣのうちの１つまたは複数の、ワイヤレス媒体にアクセスする確率が調整される。５０６において、調整の後に、キューのセットからの１つまたは複数のパケットのフロー制御が実行される。
【００５８】
[0063]次いで、パケットは、送信フロー制御にしたがった送信に関して（様々なキューから）出力され得る。例えば、各バックオフカウンタが満了すると、送信に利用可能なパケットは、（異なるキューからの異なるＡＣを有する）マルチプルのパケットが同時に送信の準備が整っている場合にどれを送信するかを決定するために使用される各ＡＣに関連付けられた優先度で、送られ得る。
【００５９】
[0064]上で記述した方法の様々な動作は、対応する機能を実行する能力があるいずれかの適切な手段によって実行され得る。これら手段は、回路、特定用途向け集積回路（ＡＳＩＣ）、またはプロセッサを含むがそれらに限定されない様々なハードウェアおよび／またはソフトウェア構成要素および／またはモジュールを含み得る。一般的に、図に例示された動作が存在する場合、これらの動作は、同様に番号付けされた、対応する対照的なミーンズプラスファンクション構成要素を有し得る。例えば、図５に例示された動作５００は、図５Ａに例示された手段５００Ａに対応する。
【００６０】
[0065]例えば、送信するための手段（または、送信に関して出力するための手段）は、図２で例示された、アクセスポイント１１０の送信機（例えば、送信機ユニット２２２）および／またはアンテナ２２４あるいはユーザ端末１２０の送信機ユニット２５４および／またはアンテナ２５２を備え得る。受信するための手段（または、取得のための手段）は、図２で例示された、アクセスポイント１１０の受信機（例えば、受信機ユニット２２２）および／またはアンテナ２２４あるいはユーザ端末１２０の受信機ユニット２５４および／またはアンテナ２５４を備え得る。処理するための手段、維持するための手段、調整するための手段、および実行するための手段は、処理システムを備え得、それは、図２で例示された、アクセスポイント１１０のＲＸデータプロセッサ２４２、ＴＸデータプロセッサ２１０、ＴＸ空間プロセッサ２２０、および／またはコントローラ２３０あるいはユーザ端末１２０のＲＸデータプロセッサ２７０、ＴＸデータプロセッサ２８８、ＴＸ空間プロセッサ２９０、および／またはコントローラ２８０のような１つまたは複数のプロセッサを含み得る。
【００６１】
[0066]いくつかのケースでは、フレームを実際に送信するのではなく、デバイスは、送信に関してフレームを出力するためのインターフェース（出力するための手段）を有し得る。例えば、プロセッサは、送信に関して無線周波数（ＲＦ）フロントエンドに、バスインターフェースを介して、フレームを出力し得る。同様に、フレームを実際に受信するのではなく、デバイスは、別のデバイスから受信されるフレームを取得するためのインターフェース（取得するための手段）を有し得る。例えば、プロセッサは、受信に関してＲＦフロントエンドから、バスインターフェースを介して、フレームを取得（または受信）し得る。
【００６２】
[0067]ここで使用される場合、複数の項目からなるリスト「のうちの少なくとも１つ」を参照する表現は、単一のメンバを含む、それらの項目のいずれかの組合せに言及する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【００６３】
[0068]本開示に関連して記述された様々な実例となる論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理、ディスクリートハードウェア構成要素、あるいはここで記述された機能を実行するように設計されたそれらのいずれかの組合せでインプリメントされるかまたは実行され得る。汎用プロセッサは、マイクロプロセッサであり得るが、代替的に、プロセッサは、いずれかの市販のプロセッサ、コントローラ、マイクロコントローラ、またはステートマシンであり得る。プロセッサはまた、コンピューティングデバイスの組合せ、例えば、ＤＳＰと、１つのマイクロプロセッサ、複数のマイクロプロセッサ、ＤＳＰコアに連結した１つまたは複数のマイクロプロセッサ、またはいずれかの他のそのような構成との組合せとしてインプリメントされ得る。
【００６４】
[0069]本開示に関連して記述されたアルゴリズムまたは方法のステップは、直接ハードウェアで、プロセッサによって実行されるソフトウェアモジュールで、または両者の組合せで具現化され得る。ソフトウェアモジュールは、当技術分野で知られているいずれかの形式の記憶媒体中に存在し得る。使用され得る記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ、等を含む。ソフトウェアモジュールは、単一の命令または多数の命令を備え得、およびいくつかの異なるコードセグメントにわたって、異なるプログラム間で、およびマルチプルの記憶媒体にわたって分散され得る。記憶媒体は、プロセッサが記憶媒体から情報を読み取り、および記憶媒体に情報を書き込むことができるように、プロセッサに結合され得る。代替的に、記憶媒体は、プロセッサに一体化され得る。
【００６５】
[0070]ここで開示された方法は、記述された方法を達成するための１つまたは複数のステップまたはアクションを備える。方法のステップおよび／またはアクションは、特許請求の範囲から逸脱することなく互いと置き換えられ得る。換言すると、ステップまたはアクションの特定の順序が明記されていない限り、特定のステップおよび／またはアクションの順序および／または使用は、特許請求の範囲から逸脱することなく修正され得る。
【００６６】
[0071]記述された機能は、ハードウェア、ソフトウェア、ファームウェア、またはこれらのいずれかの組合せでインプリメントされ得る。ハードウェアでインプリメントされる場合、例となるハードウェア構成は、ワイヤレスノードにおける処理システムを備え得る。処理システムは、バスアーキテクチャを用いてインプリメントされ得る。バスは、処理システムの特定の用途と設計制約全体とに依存して、いずれかの数の相互接続バスおよびブリッジを含み得る。バスは、プロセッサ、機械読取可能な媒体、およびバスインターフェースを含む様々な回路を互いにリンクさせ得る。バスインターフェースは、バスを介して、とりわけ、処理システムにネットワークアダプタを接続するために使用され得る。ネットワークアダプタは、ＰＨＹレイヤの信号処理機能をインプリメントするために使用され得る。ユーザ端末１２０（図１参照）のケースでは、ユーザインターフェース（例えば、キーパッド、ディスプレイ、マウス、ジョイスティック、等）もまた、バスに接続され得る。バスはまた、タイミングソース、周辺機器、電圧レギュレータ、電力管理回路、等のような様々な他の回路をリンクさせ得、それらは、当技術分野内では周知であるため、これ以上は記述されないであろう。
【００６７】
[0072]プロセッサは、バスの管理と、機械読取可能な媒体に記憶されているソフトウェアの実行を含む汎用処理とを担い得る。プロセッサは、１つまたは複数の汎用および／または専用プロセッサを用いてインプリメントされ得る。例は、マイクロプロセッサ、マイクロコントローラ、ＤＳＰプロセッサ、およびソフトウェアを実行することができる他の回路を含む。ソフトウェアは、ソフトウェア、ファームウェア、ミドルウェア、マイクロコード、ハードウェア記述言語と言及されても、その他の名称で言及されても、命令、データ、またはそれらのいずれかの組合せを広く意味するものと解釈されるものとする。機械読取可能な媒体は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（電気的に消去可能なプログラマブル読取専用メモリ）、レジスタ、磁気ディスク、光ディスク、ハードドライブ、またはいずれかの他の適切な記憶媒体、あるいはこれらのいずれかの組合せを含み得る。機械読取可能な媒体は、コンピュータプログラム製品で具現化され得る。コンピュータプログラム製品は、パッケージ材料を備え得る。
【００６８】
[0073]ハードウェアのインプリメンテーションでは、機械読取可能な媒体は、プロセッサとは別個の処理システムの一部であり得る。しかしながら、当業者が容易に認識することになるように、機械読取可能な媒体またはそのいずれかの部分は、処理システムに外付けであり得る。例として、機械読取可能な媒体は、伝送回線、データによって変調された搬送波、および／またはワイヤレスノードとは別個のコンピュータ製品を含み得、これらすべては、バスインターフェースを通してプロセッサによってアクセスされ得る。代替的にまたは加えて、機械読取可能な媒体またはそのいずれかの部分は、キャッシュおよび／または汎用レジスタファイルを伴い得るような場合、プロセッサに一体化され得る。
【００６９】
[0074]処理システムは、プロセッサ機能性を提供する１つまたは複数のマイクロプロセッサと、および機械読取可能な媒体の少なくとも一部を提供する外部メモリとを有し、すべてが外部バスアーキテクチャを通して他のサポート回路と互いにリンクされている、汎用処理システムとして構成され得る。代替的に、処理システムは、プロセッサ、バスインターフェース、（アクセス端末のケースでは）ユーザインターフェース、サポート回路、および単一のチップに組み込まれた機械読取可能な媒体の少なくとも一部を有するＡＳＩＣ（特定用途向け集積回路）を用いて、あるいは、１つまたは複数のＦＰＧＡ（フィールドプログラマブルゲートアレイ）、ＰＬＤ（プログラマブル論理デバイス）、コントローラ、ステートマシン、ゲート論理、ディスクリートハードウェア構成要素、またはいずれかの他の適切な回路、あるいは、本開示全体を通して記述された様々な機能性を実行することができる回路のいずれかの組合せを用いて、インプリメントされ得る。当業者は、特定の用途とシステム全体に課された設計制約全体とに依存して処理システムに関する記述された機能性をどのようにインプリメントすることが最善であるかを明確に認識するであろう。
【００７０】
[0075]機械読取可能な媒体は、複数のソフトウェアモジュールを備え得る。ソフトウェアモジュールは、プロセッサによって実行されると、処理システムに、様々な機能を実行させる命令を含む。これらのソフトウェアモジュールは、送信モジュールと受信モジュールとを含み得る。各ソフトウェアモジュールは、単一の記憶デバイスに存在し得るか、またはマルチプルの記憶デバイスにわたって分散され得る。例として、ソフトウェアモジュールは、トリガイベントが発生すると、ハードドライブからＲＡＭにロードされ得る。ソフトウェアモジュールの実行の間、プロセッサは、アクセススピードを上げるために、命令のうちのいくつかをキャッシュへとロードし得る。次いで、１つまたは複数のキャッシュラインは、プロセッサによる実行に関して汎用レジスタファイルにロードされ得る。以下でソフトウェアモジュールの機能性を参照する場合、そのソフトウェアモジュールからの命令を実行すると、そのような機能性がプロセッサによってインプリメントされることは理解されるであろう。
【００７１】
[0076]ソフトウェアでインプリメントされる場合、これら機能は、コンピュータ読取可能な媒体上の１つまたは複数の命令またはコードとして、記憶または送信され得る。コンピュータ読取可能な媒体は、１つの箇所から別の箇所へのコンピュータプログラムの移送を容易にするいずれかの媒体を含む通信媒体およびコンピュータ記憶媒体の両方を含む。記憶媒体は、コンピュータによってアクセスされることができるいずれかの入手可能な媒体であり得る。限定ではなく例として、このようなコンピュータ読取可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいはデータ構造または命令の形式で所望のプログラムコードを記憶または搬送するために使用されることができ、かつコンピュータによってアクセスされることができるいずれかの他の媒体を備えることができる。また、いずれかの接続は厳密にはコンピュータ読取可能な媒体と称される。例えば、ソフトウェアが、ウェブサイト、サーバ、または他のリモートソースから、同軸ケーブル、光ファイバーケーブル、ツイストペア、デジタル加入者回線（ＤＳＬ）、または赤外線（ＩＲ）、電波、およびマイクロ波のようなワイヤレス技術を使用して送信される場合、同軸ケーブル、光ファイバーケーブル、ツイストペア、ＤＳＬ、または赤外線、電波、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ディスク（disk）は、通常磁気的にデータを再生し、ディスク（disc）は、レーザーを用いて光学的にデータを再生する。ゆえに、いくつかの態様では、コンピュータ読取可能な媒体は、非一時的なコンピュータ読取可能な媒体（例えば、有形媒体）を備え得る。加えて、他の態様では、コンピュータ読取可能な媒体は、一時的なコンピュータ読取可能な媒体（例えば、信号）を備え得る。上記の組合せもまた、コンピュータ読取可能な媒体の範囲内に含まれるべきである。
【００７２】
[0077]ゆえに、特定の態様は、ここで提示された動作を実行するためのコンピュータプログラム製品を備え得る。例えば、そのようなコンピュータプログラム製品は、命令を記憶（および／または符号化）しているコンピュータ読取可能な媒体を備え得、これら命令は、ここで記述された動作を実行するために１つまたは複数のプロセッサによって実行可能である。特定の態様に関して、コンピュータプログラム製品は、パッケージ材料を含み得る。
【００７３】
[0078]さらに、ここで記述された方法および技法を実行するためのモジュールおよび／または他の好適な手段が、適用可能な場合は、ユーザ端末および／または基地局によってダウンロードされる、および／または、他の方法で取得されることができることは認識されるべきである。例えば、このようなデバイスは、ここで記述された方法を実行するための手段の移送を容易にするためにサーバに結合されることができる。代替的に、ここで記述された様々な方法は、ユーザ端末および／または基地局が、デバイスへの記憶手段の結合または提供により様々な方法を取得することができるように、記憶手段（例えば、ＲＡＭ、ＲＯＭ、コンパクトディスク（ＣＤ）またはフロッピーディスクのような物理的な記憶媒体、等）を介して提供されることができる。さらに、ここで記述された方法および技法をデバイスに提供するためのいずれかの他の適切な技法は、利用されることができる。
【００７４】
[0079]特許請求の範囲が上に例示されたとおりの構成および構成要素に限定されないことは理解されるべきである。様々な修正、変更、および変形が、特許請求の範囲から逸脱することなく、上で記述した方法および装置の配列、動作、および詳細になされ得る。
【図１】
2019514304.tif 000003
【図２】
2019514304.tif 000004
【図３】
2019514304.tif 000005
【図４】
2019514304.tif 000006
【図５】
2019514304.tif 000007
【図５Ａ】
2019514304.tif 000008
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
１つまたは複数のバックオフカウンタの数を維持することと、各バックオフカウンタは、１つまたは複数のキューのセットからの１つまたは複数のパケットのフロー制御に関して使用され、各キューは、アクセスクラス（ＡＣ）に関連付けられている、前記バックオフカウンタの数に基づいて、前記ＡＣのうちの１つまたは複数の、ワイヤレス媒体にアクセスする確率を調整することと、および前記調整の後に、前記キューのセットからの前記１つまたは複数のパケットのフロー制御を実行することとを行うように構成された処理システムと、および
前記ワイヤレス媒体上での送信に関して前記１つまたは複数のパケットを出力するための第１のインターフェースと
を備える装置。
【請求項２】
前記処理システムは、異なるＡＣ間で同じ相対的確率を達成するように、前記ＡＣのうちの１つまたは複数の前記確率を調整するように構成される、請求項１に記載の装置。
【請求項３】
前記１つまたは複数のキューは、少なくとも第１および第２のＡＣに関する少なくとも第１および第２のキューと、および前記第２のＡＣに関する少なくとも第３のキューとを備え、および
前記１つまたは複数のバックオフカウンタは、前記第１および第２のキューに関連付けられた第１のバックオフカウンタと、および前記第３のキューに関連付けられた第２のバックオフカウンタとを備える、
請求項１に記載の装置。
【請求項４】
単一のバックオフカウンタを使用するとき前記第１のＡＣが前記ワイヤレス媒体にアクセスする確率は、第１の確率であり、
前記単一のバックオフカウンタを使用するとき前記第２のＡＣが前記ワイヤレス媒体にアクセスする確率は、前記第１の確率より低い第２の確率であり、および
前記処理システムは、少なくとも２つのバックオフカウンタを使用するとき、前記第１のＡＣの前記確率を前記第２の確率の関数として調整するように構成される、
請求項３に記載の装置。
【請求項５】
前記バックオフカウンタの各々は、異なる送信方向に関連付けられている、請求項１に記載の装置。
【請求項６】
ワイヤレス通信のための方法であって、
１つまたは複数のバックオフカウンタの数を維持することと、各バックオフカウンタは、１つまたは複数のキューのセットからの１つまたは複数のパケットのフロー制御に関して使用され、各キューは、アクセスクラス（ＡＣ）に関連付けられている、
前記バックオフカウンタの数に基づいて、前記ＡＣのうちの１つまたは複数の、ワイヤレス媒体にアクセスする確率を調整することと、
前記調整の後に、前記キューのセットからの前記１つまたは複数のパケットのフロー制御を実行することと、および
前記ワイヤレス媒体上での送信に関して前記１つまたは複数のパケットを出力することと
を備える方法。
【請求項７】
前記調整することは、
異なるＡＣ間で同じ相対的確率を達成するように、前記ＡＣのうちの１つまたは複数の前記確率を調整すること
を備える、請求項６に記載の方法。
【請求項８】
前記１つまたは複数のキューは、少なくとも第１および第２のＡＣに関する少なくとも第１および第２のキューと、および前記第２のＡＣに関する少なくとも第３のキューとを備え、および
前記１つまたは複数のバックオフカウンタは、前記第１および第２のキューに関連付けられた第１のバックオフカウンタと、および前記第３のキューに関連付けられた第２のバックオフカウンタとを備える、
請求項６に記載の方法。
【請求項９】
単一のバックオフカウンタを使用するとき前記第１のＡＣが前記ワイヤレス媒体にアクセスする確率は、第１の確率であり、
前記単一のバックオフカウンタを使用するとき前記第２のＡＣが前記ワイヤレス媒体にアクセスする確率は、前記第１の確率より低い第２の確率であり、および
前記調整することは、少なくとも２つのバックオフカウンタを使用するとき、前記第１のＡＣの前記確率を前記第２の確率の関数として調整することを備える、
請求項８に記載の方法。
【請求項１０】
前記バックオフカウンタの各々は、異なる送信方向に関連付けられている、請求項６に記載の方法。
【請求項１１】
ワイヤレス局であって、
１つまたは複数のバックオフカウンタの数を維持することと、各バックオフカウンタは、１つまたは複数のキューのセットからの１つまたは複数のパケットのフロー制御に関して使用され、各キューは、アクセスクラス（ＡＣ）に関連付けられている、前記バックオフカウンタの数に基づいて、前記ＡＣのうちの１つまたは複数の、ワイヤレス媒体にアクセスする確率を調整することと、および前記調整の後に、前記キューのセットからの前記１つまたは複数のパケットのフロー制御を実行することとを行うように構成された処理システムと、および
前記ワイヤレス媒体上で前記１つまたは複数のパケットを送信するように構成された送信機と
を備えるワイヤレス局。
【手続補正２】
【補正対象書類名】明細書
【補正対象項目名】００７４
【補正方法】変更
【補正の内容】
【００７４】
[0079]特許請求の範囲が上に例示されたとおりの構成および構成要素に限定されないことは理解されるべきである。様々な修正、変更、および変形が、特許請求の範囲から逸脱することなく、上で記述した方法および装置の配列、動作、および詳細になされ得る。
以下に本願の出願当初の特許請求の範囲に記載された発明を付記する。
［Ｃ１］
ワイヤレス通信のための装置であって、
１つまたは複数のバックオフカウンタの数を維持することと、各バックオフカウンタは、１つまたは複数のキューのセットからの１つまたは複数のパケットのフロー制御に関して使用され、各キューは、アクセスクラス（ＡＣ）に関連付けられている、前記バックオフカウンタの数に基づいて、前記ＡＣのうちの１つまたは複数の、ワイヤレス媒体にアクセスする確率を調整することと、および前記調整の後に、前記キューのセットからの前記１つまたは複数のパケットのフロー制御を実行することとを行うように構成された処理システムと、および
前記ワイヤレス媒体上での送信に関して前記１つまたは複数のパケットを出力するための第１のインターフェースと
を備える装置。
［Ｃ２］
前記処理システムは、異なるＡＣ間で同じ相対的確率を達成するように、前記ＡＣのうちの１つまたは複数の前記確率を調整するように構成される、Ｃ１に記載の装置。
［Ｃ３］
前記１つまたは複数のキューは、少なくとも第１および第２のＡＣに関する少なくとも第１および第２のキューと、および前記第２のＡＣに関する少なくとも第３のキューとを備え、および
前記１つまたは複数のバックオフカウンタは、前記第１および第２のキューに関連付けられた第１のバックオフカウンタと、および前記第３のキューに関連付けられた第２のバックオフカウンタとを備える、
Ｃ１に記載の装置。
［Ｃ４］
単一のバックオフカウンタを使用するとき前記第１のＡＣが前記ワイヤレス媒体にアクセスする確率は、第１の確率であり、
前記単一のバックオフカウンタを使用するとき前記第２のＡＣが前記ワイヤレス媒体にアクセスする確率は、前記第１の確率より低い第２の確率であり、および
前記処理システムは、少なくとも２つのバックオフカウンタを使用するとき、前記第１のＡＣの前記確率を前記第２の確率の関数として調整するように構成される、
Ｃ３に記載の装置。
［Ｃ５］
前記バックオフカウンタの各々は、異なる送信方向に関連付けられている、Ｃ１に記載の装置。
［Ｃ６］
ワイヤレス通信のための方法であって、
１つまたは複数のバックオフカウンタの数を維持することと、各バックオフカウンタは、１つまたは複数のキューのセットからの１つまたは複数のパケットのフロー制御に関して使用され、各キューは、アクセスクラス（ＡＣ）に関連付けられている、
前記バックオフカウンタの数に基づいて、前記ＡＣのうちの１つまたは複数の、ワイヤレス媒体にアクセスする確率を調整することと、
前記調整の後に、前記キューのセットからの前記１つまたは複数のパケットのフロー制御を実行することと、および
前記ワイヤレス媒体上での送信に関して前記１つまたは複数のパケットを出力することと
を備える方法。
［Ｃ７］
前記調整することは、
異なるＡＣ間で同じ相対的確率を達成するように、前記ＡＣのうちの１つまたは複数の前記確率を調整すること
を備える、Ｃ６に記載の方法。
［Ｃ８］
前記１つまたは複数のキューは、少なくとも第１および第２のＡＣに関する少なくとも第１および第２のキューと、および前記第２のＡＣに関する少なくとも第３のキューとを備え、および
前記１つまたは複数のバックオフカウンタは、前記第１および第２のキューに関連付けられた第１のバックオフカウンタと、および前記第３のキューに関連付けられた第２のバックオフカウンタとを備える、
Ｃ６に記載の方法。
［Ｃ９］
単一のバックオフカウンタを使用するとき前記第１のＡＣが前記ワイヤレス媒体にアクセスする確率は、第１の確率であり、
前記単一のバックオフカウンタを使用するとき前記第２のＡＣが前記ワイヤレス媒体にアクセスする確率は、前記第１の確率より低い第２の確率であり、および
前記調整することは、少なくとも２つのバックオフカウンタを使用するとき、前記第１のＡＣの前記確率を前記第２の確率の関数として調整することを備える、
Ｃ８に記載の方法。
［Ｃ１０］
前記バックオフカウンタの各々は、異なる送信方向に関連付けられている、Ｃ６に記載の方法。
［Ｃ１１］
ワイヤレス通信のための装置であって、
１つまたは複数のバックオフカウンタの数を維持するための手段と、各バックオフカウンタは、１つまたは複数のキューのセットからの１つまたは複数のパケットのフロー制御に関して使用され、各キューは、アクセスクラス（ＡＣ）に関連付けられている、
前記バックオフカウンタの数に基づいて、前記ＡＣのうちの１つまたは複数の、ワイヤレス媒体にアクセスする確率を調整するための手段と、
前記調整の後に、前記キューのセットからの前記１つまたは複数のパケットのフロー制御を実行するための手段と、および
前記ワイヤレス媒体上での送信に関して前記１つまたは複数のパケットを出力するための手段と
を備える装置。
［Ｃ１２］
前記調整するための手段は、異なるＡＣ間で同じ相対的確率を達成するように、前記ＡＣのうちの１つまたは複数の前記確率を調整するための手段を備える、
Ｃ１１に記載の装置。
［Ｃ１３］
前記１つまたは複数のキューは、少なくとも第１および第２のＡＣに関する少なくとも第１および第２のキューと、および前記第２のＡＣに関する少なくとも第３のキューとを備え、および
前記１つまたは複数のバックオフカウンタは、前記第１および第２のキューに関連付けられた第１のバックオフカウンタと、および前記第３のキューに関連付けられた第２のバックオフカウンタとを備える、
Ｃ１１に記載の装置。
［Ｃ１４］
単一のバックオフカウンタを使用するとき前記第１のＡＣが前記ワイヤレス媒体にアクセスする確率は、第１の確率であり、
前記単一のバックオフカウンタを使用するとき前記第２のＡＣが前記ワイヤレス媒体にアクセスする確率は、前記第１の確率より低い第２の確率であり、および
前記調整するための手段は、少なくとも２つのバックオフカウンタを使用するとき、前記第１のＡＣの前記確率を前記第２の確率の関数として調整するための手段を備える、
Ｃ１３に記載の装置。
［Ｃ１５］
前記バックオフカウンタの各々は、異なる送信方向に関連付けられている、Ｃ１１に記載の装置。
［Ｃ１６］
命令を記憶したコンピュータ読取可能な媒体であって、前記命令は、
１つまたは複数のバックオフカウンタの数を維持することと、各バックオフカウンタは、１つまたは複数のキューのセットからの１つまたは複数のパケットのフロー制御に関して使用され、各キューは、アクセスクラス（ＡＣ）に関連付けられている、
前記バックオフカウンタの数に基づいて、前記ＡＣのうちの１つまたは複数の、ワイヤレス媒体にアクセスする確率を調整することと、
前記調整の後に、前記キューのセットからの前記１つまたは複数のパケットのフロー制御を実行することと、および
前記ワイヤレス媒体上での送信に関して前記１つまたは複数のパケットを出力することと
を行うためのものである、コンピュータ読取可能な媒体。
［Ｃ１７］
ワイヤレス局であって、
１つまたは複数のバックオフカウンタの数を維持することと、各バックオフカウンタは、１つまたは複数のキューのセットからの１つまたは複数のパケットのフロー制御に関して使用され、各キューは、アクセスクラス（ＡＣ）に関連付けられている、前記バックオフカウンタの数に基づいて、前記ＡＣのうちの１つまたは複数の、ワイヤレス媒体にアクセスする確率を調整することと、および前記調整の後に、前記キューのセットからの前記１つまたは複数のパケットのフロー制御を実行することとを行うように構成された処理システムと、および
前記ワイヤレス媒体上で前記１つまたは複数のパケットを送信するように構成された送信機と
を備えるワイヤレス局。
【国際調査報告】
2019514304.tif 000009
2019514304.tif 000010
2019514304.tif 000011